(57)【要約】 【課題】手に持つことができて消臭材の消臭効果を簡単に確認することができる簡易型消臭検査装置を提供することが目的である。 【解決手段】本考案の簡易型消臭検査装置１は、上面開口部を有する容器４と、該上面開口部には開閉蓋２が設けられ、前記容器４の底面部には通気孔７を有し、前記開閉蓋２の表面部には通気孔３を有し、前記容器４の内側底面部には消臭材６を収納し、前記消臭材６の上側に臭気発生物質５を備えていることを特徴とする。【選択図】図１
0003202586.tif 000002
【実用新案登録請求の範囲】
【請求項１】
上面開口部を有する容器と、該上面開口部には開閉蓋が設けられ、前記容器の底面部には通気孔を有し、前記開閉蓋の表面部には通気孔を有し、前記容器の内側底面部には消臭材を収納し、該消臭材の上側に臭気発生物質を備えていることを特徴とする簡易型消臭装置。
【考案の詳細な説明】
【技術分野】
【０００１】
本考案は、消臭材の消臭効果を簡易的にチェックできる簡易型消臭検査装置に関する。
【背景技術】
【０００２】
現代人にとって生活臭の問題は大きな関心事となってきている。また、住宅に限らず、自動車の室内や、電車、旅客機等の室内空間の様々な嫌な臭いに対する消臭材が開発されており、さらに消臭材の消臭効果を確認することができる装置も開発されている。
【０００３】
特許文献１においては、口気の臭いをいつでも簡単便利に検査でき、エチケットとして口臭をすぐに消すことができる口気検査消臭具が開示されている。
【０００４】
特許文献２においては、臭気判定対象エリアから送風ダクトを無臭エリアまで延長し、送風ダクトを端部側で二股に分岐し、一方の端部に消臭装置を接続し、消臭装置を通過した後の空気と他方の端部からの空気とを官能試験で比較することで消臭装置の消臭状態を判断して消臭装置の能力を判定する方法が開示されている。
【特許文献１】登録実用新案公報３０５３２０７号
【特許文献２】特開２００４−２３３１１２号公報
【考案の開示】
【考案が解決しようとする課題】
【０００５】
特許文献１では、口気の臭いを簡単に検査することはできるが、消臭材の消臭効果を確認するためには消臭材を入れた場合と消臭材を入れない場合の２パターンを確認する必要があり手間がかかってしまう。
【０００６】
特許文献２では、大きな施設内の悪臭に対して消臭効果を確認する方法としては優れているが、手に持つことができて簡単に消臭フィルターの消臭効果を確認することができる消臭検査装置が求められている。
【０００７】
本発明は、かかる技術的背景を鑑みてなされたものであって、手に持つことができて消臭材の消臭効果を簡単に確認することができる簡易型消臭検査装置を提供することが目的である。
【課題を解決するための手段】
【０００８】
前記目的を達成するために、本考案は以下の手段を提供する。
【０００９】
[１] 上面開口部を有する容器と、該上面開口部には開閉蓋が設けられ、前記容器の底面部には通気孔を有し、前記開閉蓋の表面部には通気孔を有し、前記容器の内側底面部には消臭材を収納し、前記消臭材の上側に臭気発生物質を備えていることを特徴とする簡易型消臭検査装置。
【考案の効果】
【００１０】
上面開口部を有する容器と、上面開口部には開閉蓋が設けられ、容器の底面部には通気孔を有し、開閉蓋の表面部には通気孔を有し、容器の内側底面部には消臭材を収納し、消臭材の上側に臭気発生物質を備えているので、開閉蓋の表面部の通気孔から臭気発生物質の臭いを確認することができる。また、容器の内側底面部には消臭材を収納しているため、容器の底面部の通気孔から臭いを嗅いだことにより消臭材の消臭効果を確認することができる。さらに、上面開口部には開閉蓋が設けられているため、消臭材及び臭気発生物質を交換することもできる。
【図面の簡単な説明】
【００１１】
【図１】本考案に係る簡易型消臭検査装置の一実施形態を示す図である。
【考案を実施するための最良の形態】
【００１２】
本考案に係る簡易型消臭検査装置の一実施形態を図面に基づいて説明する。図１に示すように、本実施形態の簡易型消臭検査装置１は、上面開口部を有する容器４と、該上面開口部には開閉蓋２が設けられ、前記容器４の底面部には通気孔７を有し、前記開閉蓋２の表面部には通気孔３を有し、前記容器４の内側底面部には消臭材６を収納し、前記消臭材６の上側に臭気発生物質５を備えていることを特徴とする。
【００１３】
前記容器４の材質としては、特に限定されるものではないが、例えば、ビン、缶、プラスチック等が挙げられるが、その容器４自身が臭うものは好ましくない。中でも軽い材料で作成することができるため、プラスチックを用いることがより好ましい。
【００１４】
前記容器４の大きさとしては、特に限定されるものではないが、例えば、片手で持つことができるサイズであることが好ましい。
【００１５】
前記容器４としては、上面開口部を有することが必要である。上面開口部から容器４の内部に消臭材６を収納したり、臭気発生物質５を交換するために用いることができる。
【００１６】
前記上面開口部には開閉蓋２が設けられていることが必要である。前記開閉蓋２で密閉することにより、臭気発生物質５の臭いを閉じ込めることができる。
【００１７】
前記開閉蓋２としては、特に限定されるものではないが、例えば、ねじ巻き式、折りたたみ式、はめ込み式、キャップ式等が挙げられる。
【００１８】
前記開閉蓋２の表面部には通気孔３を有することが必要である。この通気孔３は臭気発生物質５の臭いを確認するために用いられる。
【００１９】
前記開閉蓋２の表面部の通気孔３の大きさとしては、特に限定されるものではないが、２ｍｍ〜２０ｍｍであることが好ましく、中でも３ｍｍ〜７ｍｍであることがより好ましい
【００２０】
前記開閉蓋２の表面部の通気孔３の個数としては、特に限定されるものではないが、２個／４０ｍｍ角〜３６個／４０ｍｍ角であることが好ましく、中でも４個／４０ｍｍ角〜１２個／４０ｍｍ角であることがより好ましい。
【００２１】
前記容器４の底面部には通気孔７を有することが必要である。この通気孔７は消臭材６を介して臭気発生物質５の臭いを確認するために用いられる。この場合、消臭材６の臭気発生物質５に対する消臭効果を確認することができる。
【００２２】
前記容器４の底面部の通気孔７の大きさとしては、特に限定されるものではないが、２ｍｍ〜２０ｍｍであることが好ましく、中でも３ｍｍ〜７ｍｍであることがより好ましい
【００２３】
前記容器４の底面部の通気孔７の個数としては、特に限定されるものではないが、２個／４０ｍｍ角〜３６個／４０ｍｍ角であることが好ましく、中でも４個／４０ｍｍ角〜１２個／４０ｍｍ角であることがより好ましい。
【００２４】
前記消臭材６としては、特に限定されるものではないが、例えば、通気性のある不織布、通気性のある活性炭混抄紙、通気性のある布帛等が挙げられ、中でも通気性のある活性炭混抄紙を用いることがより好ましい。
【００２５】
前記臭気発生物質５としては、特に限定されるものではないが、例えば、コーヒー豆、銀杏等が挙げられる。この場合、固体の臭気発生物質５を用いることが好ましい。
【実施例】
【００２６】
次に、本考案の具体的実施例について説明するが、本考案はこれら実施例のものに特に限定されるものではない。
【００２７】
＜使用材料＞
（容器）幅４０ｍｍ、長さ４０ｍｍ、高さ５０ｍｍ、厚み２ｍｍのプラスチック製容器、容器の底面部に直径５ｍｍの通気孔が９個
（開閉蓋）はめ込み式、表面部に直径５ｍｍの通気孔が６個
（消臭材）活性炭混抄紙（紙厚は０．１７ｍｍ、坪量は７０ｇ／ｍ２、コルゲートの山高さは１．４ｍｍ、コルゲート間隔（ピッチ）は３．０ｍｍ、厚さは１３ｍｍ）
（臭気発生物質）コーヒー豆
【００２８】
＜実施例１＞
容器内の底面部に消臭材として活性炭混抄紙を収納し、その上に臭気発生物質としてコーヒー豆を３ｇ投入し、開閉蓋で密閉して、簡易型消臭検査装置１を得た。
【００２９】
＜比較例１＞
上面開口部がない容器に設定した以外は、実施例１と同様にして、簡易型消臭検査装置を得た。
【００３０】
＜比較例２＞
上面開口部に開閉蓋がない設定にした以外は、実施例１と同様にして、簡易型消臭検査装置を得た。
【００３１】
＜比較例３＞
容器の底面部に通気孔がない設定にした以外は、実施例１と同様にして、簡易型消臭検査装置を得た。
【００３２】
＜比較例４＞
開閉蓋の表面部に通気孔がない設定にした以外は、実施例１と同様にして、簡易型消臭検査装置を得た。
【００３３】
＜比較例５＞
容器の内側底面部に消臭材を収納しない設定にした以外は、実施例１と同様にして、簡易型消臭検査装置を得た。
【００３４】
＜比較例６＞
消臭材の上側に臭気発生物質を備えていない設定にした以外は、実施例１と同様にして、簡易型消臭検査装置を得た。
【００３５】
上記のようにして得られた簡易型消臭検査装置に対して、下記評価方法に基づいて評価を行った。
【００３６】
＜評価方法＞
開閉蓋の表面部の通気孔から臭気発生物質の臭いを確認し、容器の底面部の通気孔から臭気発生物質の臭いを確認する。開閉蓋の表面部の通気孔から臭気発生物質の臭気を感じることができ、かつ容器の底面部の通気孔から臭気発生物質の臭気を感じることができなかったものを「○」として、それ以外を「×」とした。
【００３７】
本考案の実施例１の簡易消臭検査装置は開閉蓋の表面部の通気孔から臭気発生物質の臭気を感じることができ、容器の底面部の通気孔から臭気発生物質の臭気を感じることができず、評価が○であった。
【００３８】
これに対して、比較例１は、上面開口部がない容器のため、開閉蓋の表面部の通気孔から臭気発生物質の臭気を感じることができず、評価が×であった。比較例２は、上面開口部に開閉蓋がないので、臭気発生物質が出てしまい、評価が×であった。比較例３は、容器の底面部に通気孔がないため、容器の底面部の通気孔から臭気発生物質の臭気を感じることができず、評価が×であった。比較例４は、開閉蓋の表面部には通気孔がないため、臭気発生物質の臭いを感じることができず、評価が×であった。比較例５は、容器の内側底面部には消臭材を収納しないため、容器の内側底面部の通気孔から臭気発生物質の臭気を感じ、評価が×であった。比較例６は、消臭材の上側に臭気発生物質を備えていないため、開閉蓋の表面部の通気孔から臭気発生物質の臭気を感じることができず、評価が×であった。
【産業上の利用可能性】
【００３９】
本考案に係る簡易型消臭検査装置は、例えば、簡易的に消臭材の消臭効果を確認することができるため、店頭などにデモ用簡易型消臭検査装置としてモニター設置することができる。
【符号の説明】
【００４０】
１・・・簡易型消臭検査装置
２・・・開閉蓋
３・・・通気孔
４・・・容器
５・・・臭気発生物質
６・・・消臭材
７・・・通気孔
【図１】
0003202586.tif 000003